【手続補正書】
【提出日】平成27年5月21日(2015.5.21)
【手続補正１】
【補正対象書類名】特許請求の範囲
【補正対象項目名】全文
【補正方法】変更
【補正の内容】
【特許請求の範囲】
【請求項１】
楽曲のフレーズにおけるユーザの演奏レベルに応じて、前記楽曲のフレーズの演奏に対する評価基準となる演奏要素に対応する練習段階を決定する練習段階決定部と、
当該決定された練習段階および前記演奏レベルに基づいて、前記フレーズを構成している複数の小節のうち少なくとも１以上の小節をどのような順番で練習させるのかを指定するための練習順番を決定する練習順番決定部と、
前記決定された練習順番にて順次指定される小節により定められた練習区間内で、前記ユーザの演奏を前記対応する演奏要素に基づいて評価する演奏評価部と、
前記評価結果に基づいて、前記対応する演奏要素でかつ、前記決定された練習段階における前記ユーザの演奏の新たな演奏レベルを決定し、当該新たな演奏レベルにより、前記演奏レベルを更新する更新部と、
を備えることを特徴とする演奏練習装置。
【請求項２】
前記フレーズは、前記楽曲の練習範囲内に含まれる複数のフレーズの中から決定することを特徴とする請求項１に記載の演奏練習装置。
【請求項３】
前記練習段階毎に、前記練習範囲内を複数のフレーズに分割するための分割方法を指定するフレーズ分割方法データと、前記練習段階毎に選択され、前記フレーズに含まれる小節のいずれかを繰り返し練習させるための繰返し方法を指定する繰返し方法データを登録した練習段階テーブルをさらに備え、
前記練習順番決定部は、前記練習段階テーブルから、前記決定された練習段階に対応する前記フレーズ分割方法データおよび前記繰返し方法データを抽出し、当該抽出した当該フレーズ分割方法データおよび前記達成状況に基づいて前記ユーザに演奏の練習を行わせるフレーズを決定するとともに、当該抽出した前記繰返し方法データに基づいて前記フレーズにおける練習順番を決定する、
ことを特徴とする請求項２に記載の演奏練習装置。
【請求項４】
前記練習順番決定部は、前記決定されたフレーズにおける練習順番に基づいて、前記各練習区間を示す練習開始小節および練習終了小節を表す練習順番データリストを順次生成して記憶し、
前記演奏評価部は、前記練習順番データリストから前記練習順番データを順次読み出し、当該読み出された練習順番データ中の前記練習開始小節から前記練習終了小節までの間での前記ユーザの演奏を評価する、
ことを特徴とする請求項２または３のいずれかに記載の演奏練習装置。
【請求項５】
前記演奏要素は、前記楽曲のフレーズを構成する各音符の音高、前記楽曲のフレーズのリズム、テンポ、および前記楽曲のフレーズの演奏進行の滑らかさを含む、
ことを特徴とする請求項１ないし３のいずれかに記載の演奏練習装置。
【請求項６】
前記練習段階に対応する演奏要素が、前記音高、前記リズム、または前記テンポのいずれかである場合、
前記演奏評価部は、前記練習区間に含まれる小節毎に、当該小節内の各音符と前記ユーザの演奏により指示される各音符とを順次比較することにより、前記小節における前記演奏要素毎のユーザの演奏の完成度を算出して小節完成度データとして記憶し、
前記更新部は、前記練習区間に含まれる小節が、前記各演奏要素のいずれかにおいて完成度が所定の閾値に達していない場合、当該小節と前記完成度に達していない演奏要素に対応する練習段階とを未達成リストに登録し、
前記練習段階決定部は、前記未達成リストに登録された小節と練習段階とに基づいて、前記ユーザの演奏レベルを判別し、
前記練習順番決定部は、前記決定された練習段階の演奏要素に対応する前記未達成リストに登録されている小節が含まれるフレーズに基づいて、ユーザに演奏の練習を行わせるフレーズを決定する、
ことを特徴とする請求項５に記載の演奏練習装置。
【請求項７】
前記練習段階に対応する演奏要素が、演奏進行の滑らかさである場合、
前記演奏評価部は、前記練習区間に含まれる小節毎に、当該小節とそれに隣接する小節とを連続して演奏する練習において、前記ユーザの演奏が予め定められた演奏基準を満たすか否かを示す連続正解フラグを前記小節完成度データとして記憶し、
前記更新部は、前記練習区間に含まれる各小節において、当該小節に対応する前記連続正解フラグが前記演奏基準を満たさないことを示す場合に、前記小節をフレーズ境界位置リストに登録し、
前記練習段階決定部は、前記フレーズ境界位置リストに前記小節のいずれかが登録されている場合に、次の前記練習段階として、前記楽曲の演奏進行の滑らかさに対応する練習段階を決定し、
前記練習順番決定部は、前記フレーズ境界位置リストに登録されている小節をフレーズ境界とするフレーズを決定する、
ことを特徴とする請求項５または６のいずれかに記載の演奏練習装置。
【請求項８】
前記練習段階が決定された後、当該決定された練習段階に対応する練習機能を設定する練習機能設定部を更に備える、
ことを特徴とする請求項１ないし７のいずれかに記載の演奏練習装置。
【請求項９】
演奏練習装置が、
楽曲のフレーズにおけるユーザの演奏レベルに応じて、前記楽曲のフレーズの演奏に対する評価基準となる演奏要素に対応する練習段階を決定し、
当該決定された練習段階および前記演奏レベルに基づいて、前記フレーズを構成している複数の小節のうち少なくとも１以上の小節をどのような順番で練習させるのかを指定するための練習順番を決定し、
前記決定された練習順番にて順次指定される小節により定められた練習区間内で、前記ユーザの演奏を前記対応する演奏要素に基づいて評価し、
前記評価結果に基づいて、前記対応する演奏要素でかつ、前記決定された練習段階における前記ユーザの演奏の新たな演奏レベルを決定し、当該新たな演奏レベルにより、前記演奏レベルを更新する、演奏練習方法。
【請求項１０】
演奏練習装置として用いられるコンピュータに、
楽曲のフレーズにおけるユーザの演奏レベルに応じて、前記楽曲のフレーズの演奏に対する評価基準となる演奏要素に対応する練習段階を決定するステップと、
当該決定された練習段階および前記演奏レベルに基づいて、前記フレーズを構成している複数の小節のうち少なくとも１以上の小節をどのような順番で練習させるのかを指定するための練習順番を決定するステップと、
前記決定された練習順番にて順次指定される小節により定められた練習区間内で、前記ユーザの演奏を前記対応する演奏要素に基づいて評価するステップと、
前記評価結果に基づいて、前記対応する演奏要素でかつ、前記決定された練習段階における前記ユーザの演奏の新たな演奏レベルを決定し、当該新たな演奏レベルにより、前記演奏レベルを更新するステップと、
を実行させる演奏練習プログラム。
【手続補正２】
【補正対象書類名】明細書
【補正対象項目名】００１０
【補正方法】変更
【補正の内容】
【００１０】
態様の一例では、楽曲のフレーズにおけるユーザの演奏レベルに応じて、楽曲のフレーズの演奏に対する評価基準となる演奏要素に対応する練習段階を決定する練習段階決定部と、その決定された練習段階および演奏レベルに基づいて、フレーズを構成している複数の小節のうち少なくとも１以上の小節をどのような順番で練習させるのかを指定するための練習順番を決定する練習順番決定部と、決定された練習順番にて順次指定される小節により定められた練習区間内で、ユーザの演奏を対応する演奏要素に基づいて評価する演奏評価部と、評価結果に基づいて、対応する演奏要素でかつ、決定された練習段階におけるユーザの演奏の新たな演奏レベルを決定し、その新たな演奏レベルにより、演奏レベルを更新する更新部と、を備える。